(57)【特許請求の範囲】
【請求項１】
その開放上部が蓋部によって開閉可能な集塵ケーシングと、
前記集塵ケーシングを上部と下部とに分割して前記集塵ケーシングの下部に集塵部を形成するために前記集塵ケーシングの内部に設けられた区画板であって、通孔を有し、異物質が前記通孔を介して集塵ケーシングの上部から集塵部へ移動するようにする区画板と、
空気を流入して前記集塵ケーシングの内部で螺旋形に旋回させるように、前記集塵ケーシングの上部の側面に設けられる流入口と、
前記集塵ケーシングの上面に設けられ、フィルタリングされた空気が排気される排気口と、
前記集塵ケーシングの上部に設けられ、前記排気口に排気される空気が通過する集塵フィルタと、
から構成され、
前記区画板は直径部を中心に回動可能となるように前記直径部の両端が集塵ケーシングの内側壁に回動可能に支持されることを特徴とする真空掃除機用サイクロン集塵装置。
【請求項２】
前記集塵ケーシングは、上部が開放された下部本体と、前記下部本体の開放上部を開閉する蓋部とから構成されることを特徴とする請求項１記載の真空掃除機用サイクロン集塵装置。
【請求項３】
前記流入口は下部本体の上部に設けられ、前記排気口は蓋部の中心部に設けられることを特徴とする請求項２記載の真空掃除機用サイクロン集塵装置。
【請求項４】
前記集塵フィルタは蓋部の中心部の底面に設けられることを特徴とする請求項３記載の真空掃除機用サイクロン集塵装置。
【請求項５】
前記集塵フィルタは着脱可能に設けられることを特徴とする請求項４記載の真空掃除機用サイクロン集塵装置。
【請求項６】
前記通孔は前記区画板の外周に形成される凹部であることを特徴とする請求項１記載の真空掃除機用サイクロン集塵装置。
【請求項７】
前記区画板は直径部が互いに接する一対の半円板から構成され、前記半円板は互いに接する直径部が集塵ケーシングに回動可能に支持され、前記半円板の外側部の底面と接触する係止突起が集塵ケーシングの内側壁に付着されることにより、前記半円板は上方にだけ回動できることを特徴とする請求項１記載の真空掃除機用サイクロン集塵装置。
【請求項８】
前記集塵フィルタは、吸入される空気の吸入力に十分に耐えられる強度を有することを特徴とする請求項１ないし７のいずれか１項記載の真空掃除機用サイクロン集塵装置。
【請求項９】
前記集塵フィルタは円筒形に形成されることを特徴とする請求項１ないし７のいずれか１項記載の真空掃除機用サイクロン集塵装置。
【請求項１０】
前記集塵フィルタに、空気との接触面積を増大させるため、皺が形成されたことを特徴とする請求項１ないし７のいずれか１項記載の真空掃除機用サイクロン集塵装置。
【請求項１１】
前記集塵フィルタの皺は集塵フィルタの円周方向に形成されることを特徴とする請求項１０記載の真空掃除機用サイクロン集塵装置。
【請求項１２】
前記集塵フィルタはポリエステルから構成されることを特徴とする請求項１ないし５のいずれか１項記載の真空掃除機用サイクロン集塵装置。
【請求項１３】
吸入ホースと連結され、異物質が含まれた空気が吸入される本体吸入口を前方に設け、フィルタリングされた空気が排気される排気部を有する本体と、
前記本体の前方内部に設けられ、空気を本体内部に吸入または排出する原動力を発生する吸入手段と、
前記吸入手段の後方に該当する本体に外部から直接着脱可能に設けられ、前記吸入手段によって本体吸入口を通じて吸入された空気をフィルタリングするサイクロン集塵装置と、
前記集塵装置の下部に該当する本体の内部に設けられ、電線を収納するコードリールと、
前記集塵装置を前記本体に取り付けて締め付ける締付手段とを含み、
前記集塵装置は、
その開放上部が蓋部によって開閉可能な集塵ケーシングと、
前記集塵ケーシングを上部と下部とに分割して前記集塵ケーシングの下部に集塵部を形成するために前記集塵ケーシングの内部に設けられた区画板であって、通孔を有し、異物質が前記通孔を介して集塵ケーシングの上部から集塵部へ移動するようにする区画板と、
空気を流入して前記集塵ケーシングの内部で螺旋形に旋回させるように、前記集塵ケーシングの上部の側面に設けられる流入口と、
前記集塵ケーシングの上面に設けられ、フィルタリングされた空気が排気される排気口と、
前記集塵ケーシングの上部に設けられ、前記排気口に排気される空気が通過する集塵フィルタと、
から構成され、
前記区画板は直径部を中心に回動可能となるように前記直径部の両端が集塵ケーシングの内側壁に回動可能に支持されることを特徴とする真空掃除機。
【請求項１４】
前記本体の前方に設けられる本体吸入口と、前記吸入手段の後方に設けられる集塵装置は、本体内部に設けられる吸入流路によって連通し、前記集塵装置と吸入手段は、排気流路によって連通することを特徴とする請求項１３記載の真空掃除機。
【請求項１５】
前記集塵装置には、把っ手が設けられ、集塵装置の取り扱いを容易にすることを特徴とする請求項１３記載の真空掃除機。
【発明の詳細な説明】
【０００１】
【発明の属する技術分野】
本発明は真空掃除機用集塵装置に関するもので、より詳しくは簡単な構造を有しながらも微細な埃までも十分に集塵できるように構成された集塵装置に関するものである。
【０００２】
【従来の技術】
真空掃除機は、掃除機本体内で強い吸入力を発生させて、床面の埃などの汚染物を吸入した後、この汚染物とともに吸入された空気をフィルタリングすることで汚染物を除去する装置である。
このようなフィルタリングを遂行するための集塵装置には、一般に紙から製造されて空気のみを通過させる紙製フィルタが多く使用されてきた。しかし、このような紙製フィルタを使用する場合には、一定の動作時間が経過した後には交替しなければならない使用上の不便と、使用時間が増加するほど紙製フィルタが詰ることにより吸入力が低下する問題点が提起される。
【０００３】
このような不便を解消するため、最近には交替の必要性なしに半永久的に使用できるサイクロンタイプの集塵装置が開発され使用されている。
このようなサイクロン集塵装置もいろいろの形態に開発されているが、１次集塵部と２次集塵部を互いに連結して全体的に一つのサイクロン集塵装置をなすデュアルサイクロン集塵装置（Ｄｕａｌ  ｔｙｐｅ  ｃｙｃｌｏｎｅ  ｄｕｓｔ  ｃｏｌｌｅｃｔｏｒ）が開発され市販されている。
【０００４】
このようなデュアルサイクロン集塵装置においては、１次集塵部で相対的に大きい異物質の集塵を遂行し、２次集塵部では１次集塵部でもフィルタリングされなかった微細な異物質を集塵できるように構成されている。
このように、デュアルサイクロン集塵装置は別の紙製フィルタが不要である利点がある。そして、二重にサイクロンによる集塵方式を用いるため、単一のサイクロン方式に比べて相対的に集塵効率が高いと知られている。
【０００５】
図１は一般のデュアルサイクロン集塵装置を示す。同図に示すように、デュアルサイクロン集塵装置は、真空掃除機の本体内に装着され、相対的に大きい異物質を集塵する１次集塵部１と、前記１次集塵部１を通過した微細な異物質を集塵する２次集塵部２とを含んでいる。
１次集塵部１は、外部ケーシングをなして集塵筒の機能をする外部ケーシング１ａと、異物質を含む空気を前記外部ケーシング１ａに案内する１次流入部１ｂと、前記外部ケーシング１ａの内部を旋回した空気が排出できるように複数の排気孔が形成された排出部１ｃとを含んでいる。
【０００６】
前記外部ケーシング１ａは集塵装置の外部ケーシングを構成するもので、その底面には１次集塵部１により集塵される相対的に大きい異物質が集まることになる。そして、１次流入部１ｂは室内の空気が流入される部分で、このように空気を流入させる動力はファン３とファンモータ４から構成される吸入装置により提供される。そして、排出部１ｃは前記外部ケーシング１ａの内部に円筒形に形成され、その外周面には複数の通気孔が形成され、このような排出部１ｃの内部に案内された空気は後述する２次集塵部２に流入される。
【０００７】
そして、２次集塵部２は、前記外部ケーシング１ａの内部中心部に一定の間隔で離隔された状態で形成される内部ケーシング２ａと、前記排出部１ｃを通じて前記内部ケーシング２ａの内部に、流入された空気を案内する２次流入部２ｂと、前記内部ケーシング２ａの内部に流入された空気が排出される排出部２ｃとを含んでいる。そして、前記内部ケーシング２ａの下端部には集塵部２ｄが形成される。本実施例において、前記集塵部２ｄは内部ケーシング２ａの下端部に連通するように形成され、区画板２ｅにより外部ケーシング１ａから隔離されるようになっている。
【０００８】
前記内部ケーシング２ａは２次集塵部２の本体を形成するもので、前記１次集塵部１で１次的に濾過された空気が１次排出部１ｃを通じて排出されると、２次流入部２ｂを通じてその内部に流入されるように構成されている。前記内部ケーシング２ａは下方に行くほど直径が小さくなる逆円錐形に形成され、その下端部は開放状態に形成されて集塵部２ｄに連通されている。
【０００９】
そして、排出部２ｃに連結される連結流路３ａを通じてファン３とファンモータ４が連結されているので、１次流入部１ｂを通じてサイクロン集塵装置の内部に空気を流入させ、１次集塵及び２次集塵を行った後、２次排出部２ｃを通じて排気される空気流動の原動力を提供している。
つぎに、以上のように構成されるデュアルタイプのサイクロンの動作を説明する。まず、前記ファンモータ４の駆動によりファン３が回転し始めると、前記ファン３により発生する吸入力により、室内の空気が１次流入部１ｂを通じてサイクロン集塵装置の内部に流入される。
【００１０】
前記１次流入部１ｂを通じて流入される空気は異物質を含む室内の空気であり、このように流入される空気は外部ケーシング１ａの内部に流入される。前記外部ケーシング１ａの内部に流入された空気は、外部ケーシング１ａの内部を旋回する過程で、相対的に重量の重い異物質は自重により外部ケーシング１ａの低部に集まる。このようなサイクロン方式の集塵装置の駆動原理は既に知られているものであるので、その詳細な説明は省略する。
【００１１】
この際に、外部ケーシング１ａの内部で旋回する空気中に含まれた微細な埃などは外部ケーシング１ａの底面に集塵されず、１次排出部１ｃに沿って排気されながら、２次流入部２ｂを通じて内部ケーシング２ａの内部に流入される。
内部ケーシング２ａの内部に流入された空気及び微細な埃などの異物質は、内部ケーシング２ａの内部を旋回する過程で、相互間の遠心力の違いにより分離される。
【００１２】
すなわち、相対的に重量の重い埃などは前述した遠心力の作用を比較的大きく受けるため、内部ケーシング２ａの内側壁面に沿って回転しながら下方に移動することになる。これに対し、重量を無視し得る程度の微細な埃などの異物質は前述した遠心力の作用を殆ど受けていないので、内部ケーシング２ａの内側中央部に位置する状態で流動することになる。
【００１３】
したがって、内部ケーシング２ａの内部に流入された異物質のなかでも相対的に重量の重い異物質はその内壁面に沿って下方に移動して、内部ケーシング２ａの下端部に連通する集塵部２ｄに集塵される反面、相対的に軽い埃のような異物質は内部ケーシング２ａの内部中心部で流動しながら上昇気流に乗って２次排出部２ｃを通じて外部に排気されることになる。
【００１４】
一般に、真空掃除機においては、微細な埃までも全て集塵することが要求されているが、前述したようなデュアルサイクロン集塵装置の２次集塵部２では、かなり軽い埃などのような微細な異物質は２次排出部２ｃを通じてファン３及びファンモータ４側に流入されるしかないという欠点が指摘される。
そして、集塵装置内部の埃を捨てるときにも操作上の不便が提起される。すなわち、内部構造が複雑であるため、内部に集塵された埃を捨てる過程と、内部を分解して洗浄する過程が非常に複雑であるという欠点があるものである。
【００１５】
また、前述したようなデュアルサイクロンタイプの集塵装置は、１次集塵部及び２次集塵部の構成のため、基本的に内部構成が複雑であるという欠点がある。このように、デュアルサイクロン集塵装置の内部構成が複雑であるというのは、構成部品の数はもちろん、組立工程においても一定の限界を有さざるをえないという欠点として表れるであろう。また、複雑な内部構成のため、コンパクトな外形の設計にも一定の限界が表れざるをえない。
【００１６】
また、相対的に大きい異物質が１次集塵部１で集塵された後、２次集塵部２には相対的に微細な埃が持続的に流入されるしかないが、外部ケーシング１ａの内部に設けられる２次集塵部の集塵部２ｄは相対的に小さくならざるをえない限界がある。したがって、２次集塵部の許容集塵容量が小さいため、使用者は２次集塵部２の集塵部２ｄに集塵された異物質を度々排出させなければならない使用上の不便も提起されている。そして、このような不便を解消するためには、デュアルサイクロン集塵装置を大きくするしかないため、真空掃除機のコンパクトな設計のためには好ましくないといえる。
【００１７】
【発明が解決しようとする課題】
したがって、本発明は前述したような従来のデュアルサイクロン集塵装置の問題点を解決するためのもので、相対的に微細な埃などを含む異物質に対する集塵効率が高いサイクロン集塵装置を提供することを主目的とする。
本発明のほかの目的は、内部構成を相対的に簡単にすることにより、よりコンパクトなサイクロン集塵装置を提供することである。
【００１８】
本発明の更にほかの目的は、コンパクトでありながら集塵容量が大きいサイクロン集塵装置を提供することにより、使用上の便宜性を高めることができるサイクロン集塵装置を提供することである。
【００１９】
【課題を解決するための手段】
前記目的を達成するための本発明による真空掃除機用サイクロン集塵装置は、開閉可能なケーシングと、空気を流入して前記ケーシングの内部で螺旋形に旋回させるように、前記ケーシングの側面に設けられる流入口と、前記ケーシングの上面に設けられ、フィルタリングされた空気が排気される排気口と、前記排気口に排気される空気が通過する集塵フィルタと、前記ケーシングの下部に集塵部を形成するために前記ケーシングの内部に水平方向に設けられ、異物質が通過する通孔を有する区画板とから構成される。
【００２０】
前記集塵ケーシングは、上部が開放された下部本体と、前記下部本体の開放上部を開閉する蓋部とから構成される。前記流入口は下部本体の上部に設けられ、前記排気口は蓋部の中心部に設けられることが好ましい。
前記集塵フィルタは、洗浄のために分離するか容易に交換することができるように、着脱可能に設けられる。
【００２１】
そして、集塵部を構成する区画板の通孔は前記区画板の外周に形成される凹部からなる。
前記区画板は集塵ケーシングの内側壁に回動可能に支持されることが好ましい。そして、一実施例によると、区画板は、直径部が互いに接する一対の半円板から構成され、前記半円板は互いに接する直径部が集塵ケーシングに回動可能に支持され、前記半円板の外側部の底面と接触する係止突起が集塵ケーシングの内側壁に付着されることにより、前記半円板は上方にだけ回動できるようにすることが好ましい。
【００２２】
そして、前記集塵フィルタは、吸入される空気の吸入力に十分に耐えられる強度を有し、例えば、円筒形に形成され、空気との接触面積を増大させるため、皺が形成されている。前記集塵フィルタの皺は集塵フィルタの円周方向に形成されることが好ましい。また、前記集塵フィルタはポリエステルから構成されることが再使用の面で最も好ましい。
【００２３】
本発明のほかの実施例による真空掃除機は、異物質が含まれた空気が吸入される本体吸入口とフィルタリングされた空気が排気される排気部とを有する本体と、前記本体の前方内部に設けられ、異物質を吸入する吸入力を発生する吸入手段と、
記本体の後方に着脱可能に設けられ、本体吸入口を通じて吸入された空気をフィルタリングする集塵装置とを含む。
【００２４】
そして、前記集塵装置の下部には、真空掃除機の電線を収納するコードリールが設けられる。
【００２５】
【発明の実施の形態】
以下、図面に示す実施例に基づいて本発明をより詳細に説明する。まず、図２は本発明による集塵装置の原理を説明するための断面図である。
同図に示すように、本発明によるサイクロン集塵装置は、サイクロン方式の集塵を遂行するための集塵ケーシング２００と、前記集塵ケーシング２００でサイクロン方式の集塵を遂行した後、微細な異物質をフィルタリングするためのフィルタ３５０とを含んでいる。
【００２６】
本発明による集塵ケーシング２００は断面円形のケーシングから形成されており、前記集塵ケーシング２００の内部に異物質を含む空気が流入される流入口１００を持っている。図２に示す実施例において、前記ケーシング２００は、上部が開放された円筒状の下部本体２３０と、前記下部本体２３０の上部に着脱可能に結合される蓋部３００とから構成される。
【００２７】
前記流入口１００は集塵ケーシング２００の上端部に設けられ、サイクロン方式の集塵が遂行されるように、集塵ケーシング２００の接線方向に内部に連通されている。すなわち、前記流入口１００を通じて流入される空気は、集塵ケーシング２００の内部で螺旋形旋回できるように、接線方向に内部に連通されている。
【００２８】
そして、前記流入口１００は、吸入流路１０２を通じて異物質を含む室内の空気が流入されるように構成される。図示の実施例において、前記吸入流路１０２は集塵ケーシング２００の下部外側及び側面部を通じて前記流入口１００に連通されるように構成されている。そして、前記吸入流路１０２は真空掃除機本体（図示せず）の外側に連結された吸入ホースに連結される。
【００２９】
前記集塵ケーシング２００の下部本体２３０を開閉する蓋部３００の中心部には、流入された空気から異物質を除去した後、空気が排気される排出口３０２が形成されている。前記排出口３０２は排気流路３１０に連通されるように構成される。そして、前記排気流路３１０の端部には、吸入力を発生させるファン３２２と前記ファンを駆動させるためのファンモータ３２４とから構成される吸入装置３２０が設けられることにより、本発明によるサイクロン集塵装置の内部に室内の空気を流入させる機能を果たす。前記吸入装置３２０は、実質的に真空掃除機に室内の空気を流入させて異物質を集塵するため、エアフロー発生手段の機能を遂行する。
【００３０】
そして、前記排出口３０２が設けられている部分の蓋部３００の下側には、微細な埃を濾過するための集塵フィルタ３５０が設けられている。前記集塵フィルタ３５０は、前記集塵ケーシング２００の内部でサイクロン集塵方式で集塵された後にも空気に含まれている埃のような微細な異物質をフィルタリングするためのものである。本発明によると、前記集塵ケーシング２００の内部でサイクロン方式で１次的に異物質が集塵された後、微細な埃などは２次的に前記集塵フィルタ３５０により濾過されるように構成されていることが分かる。
【００３１】
本発明による集塵フィルタ３５０は、実質的に集塵ケーシング２００の排出口３０２の直下部に設けられて、排気される空気から微細な埃などを濾過し得るように構成されている。図示の実施例において、前記排出口３０２は蓋部３００に形成されており、前記集塵フィルタ３５０は前記蓋部３００の下面に付着されている。
【００３２】
そして、前記集塵フィルタ３５０は、一定時間の使用後に交換又は掃除するため、蓋部３００の中心部の底面に着脱可能に構成されることが好ましい。本発明に使用される集塵フィルタ３５０は、その動作時、前記集塵フィルタ３５０を通過する強い空気の流動を考慮すると、一定以上の強度を確保し得る材質から構成することが好ましく、例えば、一定強度を確保するとともに繊維材を形成し得るポリエステルを用いて形成することが最も好ましい。ポリエステル材のフィルタを具現するとき、反復使用による洗浄の便宜性も図り得る。
【００３３】
図４は本発明の一実施例による集塵フィルタ３５０の横断面図を示す。同図に示すように、集塵フィルタ３５０において実際にフィルタリング機能を遂行するフィルタリング部３５２は長手方向の皺が多数形成された円筒状を有する。このような皺を形成することにより、集塵フィルタ３５０を通過する空気との接触面積が広くなって、集塵効率を高めることができるものである。そして、本実施例においては、長手方向に皺が多数形成されたフィルタリング部３５２を例示しているが、このような実施例に限定されるものではないことは明らかである。例えば、フィルタリングするための空気との接触面積を十分に広めるため、ベローズ形態の皺を有するように形成しても、それを通過する空気により形態が変形できない程度の強度を持っていることが要求される。
【００３４】
つぎに、図２及び図３に基づいて、本発明によるサイクロン集塵装置の集塵ケーシング２００の下部に形成される集塵部２１０の構成を説明する。
集塵部２１０は、集塵ケーシング２００の内部に流入された空気が旋回しながら自重により下方に落ちる異物質を収集する部分である。図２に示す実施例において、集塵部２１０は集塵ケーシング２００の下部に形成されるもので、水平に設けられた区画板２５０により画成されるものである。
【００３５】
そして、図３に示すように、前記区画板２５０は、集塵ケーシング２００の上部から側壁に沿って落ちる異物質を内部に収集し得るように、円周面に凹部２５３が形成されている。前記凹部２５３は、実質的に集塵ケーシング２００の内部で集塵部２１０に落ちる異物質を通過させるためのものであることが分かる。そして、前記集塵部２１０に異物質を通過させるための構成は、前記のような凹部に限定されるものではないことが自明である。すなわち、本発明によると、前記区画板２５０に形成されて、集塵ケース２００の内部と集塵部２１０を連通させ得る通孔が形成されていれば十分である。そして、このような通孔は、前記凹部２５３と同様、区画板２５０の縁部に形成されることがサイクロン集塵方式に最も好ましいと判断される。
【００３６】
図示の実施例において、前記区画板２５０は一対の半円板２５１、２５２から構成されている。前記それぞれの半円板２５１、２５２は、互いに接する中心部のヒンジ軸２５１ａ、２５２ａを中心に集塵ケーシング２００の内部で回動可能に構成されている。図示の実施例において、一対の半円板２５１、２５２は、前記集塵ケーシング２００の内側面に互いに対向するように設けられている一対のヒンジブラケット２５５に前記ヒンジ軸２５１ａ、２５２ａがヒンジ結合されることにより、集塵ケーシング２００の内部に回動可能に結合されている。
【００３７】
そして、前記一対の半円板２５１、２５２の下面に接触する係止突起２５６が集塵ケーシング２００の内部に設けられている。したがって、前記半円板２５１、２５２はそれぞれヒンジ軸を中心に上方には回動できるが、前記係止突起２５６により下方には回動ができないように構成されていることが分かる。このような構成により、前記集塵ケーシング２００を裏返すと、前記一対の半円板２５１、２５２が開き、集塵部２１０の内部に集塵されていた異物質が排出される。
【００３８】
本発明による区画板２５０は前述したような実施例に限定できない。すなわち、本発明による区画板２５０は集塵ケーシング２００の内部下側に落ちる異物質を収集し得るものであれば何であってもよい。また、前記区画板２５０を一枚の円板で構成し、その直径部を中心に集塵ケーシング２００の内側面に対し回動可能に構成することも可能である。区画板２５０を一枚の円板で構成し、これを回動可能に構成する場合、前記集塵ケーシング２００を斜めに傾けると、円板形の区画板２５０が傾いて、集塵部２１０の内部の異物質を排出させることができるようになる。
【００３９】
つぎに、以上のように構成される本発明によるサイクロン集塵装置の全体的な動作について説明する。
本発明によるサイクロン集塵装置が具現された真空掃除機の動作が開始すると、ファンモータ３２４が駆動し、ファン３２２の回転による吸入力が集塵ケーシング２００の内部に伝達されることにより、吸入流路１０２を経由した室内の空気が流入口１００を通じて集塵ケーシング２００の内部に流入される。もちろん、このように流入される空気は室内の異物質を含んでいるものである。
【００４０】
前記流入口１００は、集塵ケーシング２００の上部で空気が接線方向に流入されるように設計されているので、流入口１００を通じて流入される異物質の含まれた空気は集塵ケーシング２００の内側壁面に沿って螺旋方向に回転することになる。この際に、相対的に重量の重い異物質は自重により下降し、区画板２５０の円周に形成された凹部２５３を通じて集塵部２１０の内部に集まる。
【００４１】
一方、相対的に重量の軽い微細な埃などは集塵ケーシング２００の中心部を流動し、このような流動状態では、排気部３０２を通じて排気される空気とともに集塵フィルタ３５０を通過することになる。排気される空気とともに前記集塵フィルタ３５０を通過しているうち、空気中に含まれている微細な埃などは前記集塵フィルタ３５０により全てフィルタリングされるので、排気部３０２を通じて排気流路３１０に排気される空気は全てフィルタリングされた清浄空気となる。このように、微細埃などがフィルタリングされた空気は前記排気流路３１０を通じてファン３２２側に排気される。
【００４２】
一方、集塵ケーシング２００の下端部に設けられた集塵部２１０には、前述した過程で集塵された異物質が収集されている。このように集塵部２１０に収集された異物質を掃除しようとする場合には、集塵ケーシング２００を真空掃除機本体（図示せず）から分離した後、これを裏返すことで異物質を除去することができる。すなわち、前記集塵ケーシング２００を裏返すと、自重により前記一対の半円板２５１、２５２がヒンジ軸２５１ａ、２５２ａを中心に開く。前記半円板２５１、２５２が開くと、集塵部２１０の内部に収集されている異物質が外部に排出されるので、集塵部を容易に掃除することができる。
【００４３】
そして、図５は前記のような構成原理を有する本発明による集塵ケーシングを具体的に示す斜視図である。同図に示すように、実質的に図２及び図３に示すものと同じ要素から構成されている。
図５に示す実施例は真空掃除機本体に容易に着脱できるように構成された実施例である。そして、集塵ケーシング２００を真空掃除機本体に着脱する場合、後方に形成された取っ手２０２を用いてより簡単に着脱することができる。
【００４４】
つぎに、前述したような集塵ケーシングが装着された本発明の真空掃除機について説明する。
図６は本発明による真空掃除機の構造を示す斜視図である。同図に示すように、本発明の掃除機は、室内の空気を吸入する吸入手段を内蔵する本体２０と、前記本体で発生する吸入力により空気が流入される吸入部３１と、本体吸入口２７に連結されるフレキシブルな材質の吸入ホース３４と、前記吸入ホース３４の端部に連結される操作部３３と、前記操作部３３と吸入部３１を連結する延長管３２とを含む。
【００４５】
前記本体２０は、吸入部３１を通じて吸入された空気が通過して本体２０に流入されるようにする本体吸入口２７と、前記本体吸入口２７を通じて流入された空気に含まれた埃、毛羽などの異物質が収集される集塵ケーシング２００と、前記集塵ケーシング２００でフィルタリングされた空気が本体２０の外部に吐き出される排気部２９と、本体の移動を容易にするため、本体２０の後方部の両側壁に設けられる移動輪２８とを含んでいる。
【００４６】
前記本体吸入口２７を通じて埃などの異物質とともに吸入される空気は前述した集塵ケーシング２００でフィルタリングされた後、排気部２９を通じて排気される。本実施例による掃除機は、排気部２９を掃除機本体２０の前方部の両側面に形成している。したがって、排気される空気が使用者に直接接触することはなくなる。
【００４７】
そして、前記集塵ケーシング２００は、本体２０の外部で容易に着脱できるように、一側に取っ手２０２が設けられている。そして、集塵ケーシング２００が本体２０に結合された後には、任意に分離されることを防止するための締結ボタン２０ｈが本体の一側に設けられている。
プラグ２６ｃが端部に連結されている電線２６ｅは、コードリール入口２６ｈを通じて、集塵ケーシング２００の低部に位置するコードリール２６を収容する収納部（図示せず）の内部に収納されるか、外部に引き出されるように構成される。
【００４８】
前記本体２０と吸入部３１間を連結する吸入ホース３４はフレキシブルな材質から製造されるもので、掃除時、前記吸入部３１を所望の位置に移動させ得るように構成されている。そして、前記吸入ホース３４の端部には、掃除機のオン、オフと吸入力の強度を調節する操作部３３が設けられている。そして、前記操作部３３と吸入部３１との間には延長管３２が介在されているので、本体２０で発生する吸入力を前記吸入部３１に伝達することができる。
【００４９】
そして、真空掃除機本体２０の内部の構成を図７に基づいて説明する。本発明による真空掃除機は、吸入力を発生する吸入手段であるモータ３２４と、前記モータの後方部に設けられ、電線２６ｅが巻き取られるコードリール２６と、前記コードリールの上部に締結される集塵ケーシング２００とを備えている。
そして、前記集塵ケーシング２００に形成された流入口１００と本体吸入口２７間に設けられ、吸入部３１を通じて吸入された空気が集塵ケーシング２００に円滑に流入されるようにする通路の機能を有する吸入誘導管３５と、モータ３２４の吸入力により集塵ケーシングの空気がモータハウジングＨの上部に移動するようにする通路である排気流路３６とを備えている。
【００５０】
前記吸入誘導管３５の外側は本体吸入口２７の内側に連結され、前記吸入誘導管３５の内側は集塵ケーシング２００の流入口１００に連通するように構成されている。そして、前記排気流路３１０は、集塵ケーシングの蓋部３００に形成されている排出口３０２と、吸入力を発生するモータ３２４を収納するモータハウジングＨの上部とを連結するように構成される。
【００５１】
そして、前記集塵ケーシング２００は真空掃除機本体の後方に設けられており、本体２０に対して容易に着脱できるように設置されている。したがって、一定時間以上を使用した後、使用者は集塵ケーシング２００の後方部の取っ手２０２を持って集塵ケーシング２００を分離することができる。
このように、集塵ケーシング２００を掃除機本体の後方に設置することにより、掃除機の使用上便宜性がより一層向上されることは明らかであろう。そして、前記集塵ケーシング２００の前方側にモータ３２４及びモータハウジングＨから構成される吸入機構が設けられている。前記吸入機構を掃除機本体の前方側に設けることにより、前述したように、排気部２９を掃除機本体２０の前方側の側面に設けることがより一層容易になる。
【００５２】
そして、本発明の掃除機によると、電線２６ｅを巻き取るコードリール２６は前記集塵ケーシング２００の下端部に設けられている。したがって、使用者が前記集塵ケーシング２００を装着するか分離することと同様に、前記コードリール２６から電線２６ｅを引き出しプラグ２６ｃをコンセントに刺し込むか分離することが一層便利になる。
【００５３】
前述したような構成を有する真空掃除機はつぎのような過程により動作がなされる。
真空掃除機のコードリール２６に巻き取られている電線２６ｅを適宜の長さだけ引き出し、プラグ２６ｃをコンセントに刺し込んで真空掃除機に電源を印加すると、使用者が操作部３３を用いて所望の吸入レベルに調節することになる。操作部３３で設定された吸入レベルに相当する吸入力が本体２０に内蔵されたモータ３２４により発生する。
【００５４】
このようなモータ３２４の吸入力により、室内の埃、毛羽などの異物質が含まれた空気が吸入部３１を通じて流入される。吸入部３１を通じて流入された空気は延長管３２及び吸入ホース３４を経て本体吸入口２７に流入される。
前記本体吸入口２７を通じて流入された空気は集塵ケーシング２００で異物質が分離された状態で排出口２９を通じて本体２０の外部に吐き出されることになる。ここで、前記集塵ケーシング２００の内部でフィルタリングがなされることは前述した通りである。
【００５５】
そして、集塵フィルタ３５０を通過した空気は排出口３０２と排気流路３１０を通じてモータハウジングＨに流入されて、加熱されたモータを冷却させながら排気部２９を通じて排出される。
このような過程により、集塵ケーシング２００の集塵部２１０には重量の重い異物質が収集され、集塵フィルタ３５０の表面には微細な埃が集積される。集塵ケーシング２００を空にするためには、真空掃除機の本体２０に装着されている集塵ケーシングを分離すべきである。この際に、締結ボタン２０ｈを押したままで集塵ケーシングの取っ手２０２を引き出すと、易しく集塵ケーシングを本体から分離することができる。
【００５６】
そして、本体２０から分離された集塵ケーシング２００の蓋部３００を開けて蓋部の排出口３０２に締結されている集塵フィルタ３５０を分離して水で洗浄すると、集塵フィルタ３５０の表面に付いた微細な埃が除去される。そして、集塵ケーシングの取っ手を持ち裏返すと、区画板２５０が自重によりヒンジ軸を中心に回転することにより、集塵部２１０内に収集された異物質が下方に落ちる。こうして、集塵ケーシング内に収集された埃などの異物質を排出させることができる。
【００５７】
以上のような本発明は、集塵ケーシングと、このような集塵ケーシングを用いて具現した掃除機を基本的な技術的思想としており、このような本発明による技術的思想の範疇内で当業者により多様に変形できることはもちろんである。
【００５８】
【発明の効果】
以上説明したように、本発明によると、つぎのような効果が期待できる。
まず、本発明によるサイクロン集塵装置は、一つの集塵ケーシングの内部でサイクロン方式の１次集塵と、集塵フィルタによる２次フィルタリングとにより、微細な埃までもすっかり除去することができる利点がある。したがって、本発明の集塵装置を装着すると、より効率的な掃除ができ、使用上の便利性がある。
【００５９】
そして、本発明によるサイクロン集塵装置は、２次にわたって微細な埃を集塵し得るように構成されるとともに、実質的に内部構成が非常に簡単に構成されている。したがって、従来のものに比べ、相対的に簡単に構成したので動作が容易であるとともに、相対的に小型であるのでコンパクトに真空掃除機を具現することができる利点が期待できる。
【００６０】
また、本発明の一実施例によると、集塵ケーシングの内部に収集された異物質をより簡便に除去できるように構成することにより、使用上の便利性が非常に向上される利点も期待できる。
そして、本発明による真空掃除機によると、集塵ケーシングを易しく本体から分離することができるので、集塵ケーシングに収集された埃、ゴミなどを排出させることが容易である。
【００６１】
そして、コードリールを集塵ケーシングの下部に位置させて真空掃除機本体の内部空間を効率的に活用することにより、掃除機を小型化し得るという利点が期待できる。
【図面の簡単な説明】
【図１】従来のサイクロン集塵装置の構造を示す断面図である。
【図２】本発明のサイクロン集塵装置の構造を示す断面図である。
【図３】本発明のサイクロン本体の部分切開斜視図である。
【図４】本発明の集塵フィルタの横断面図である。
【図５】本発明の集塵装置の斜視図である。
【図６】本発明の真空掃除機の斜視図である。
【図７】本発明の真空掃除機本体の内部を示す例示図である。
【符号の説明】
２０…本体
２０ｈ…締結ボタン
２６…コードリール
２６ｃ…プラグ
２６ｅ…電線
２６ｈ…コードリール入口
２７…本体吸入口
２８…移動輪
２９…排気部
３１…吸入部
３２…延長管
３３…操作部
３４…吸入ホース
３５…吸入誘導管
１００…流入口
１０２…吸入流路
２００…集塵ケーシング
２０２…取っ手
２１０…集塵部
２３０…下部本体
２５０…区画板
２５３…凹部
２５１、２５２…半円板
２５１ａ、２５２ａ…ヒンジ軸
２５５…ヒンジブラケット
２５６…係止突起
３００…蓋部
３０２…排出口
３１０…排気流路
３２０…吸入装置
３２２…ファン
３２４…ファンモータ
３５０…集塵フィルタ
３５２…フィルタリング部
【図１】
0003626413.tif 000002
【図２】
0003626413.tif 000003
【図３】
0003626413.tif 000004
【図４】
0003626413.tif 000005
【図５】
0003626413.tif 000006
【図６】
0003626413.tif 000007
【図７】
0003626413.tif 000008